(57)【要約】【課題】人力を用いて発電された電力により孔版印刷装置１に印刷処理を実行させる。【解決手段】孔版印刷装置１と接続され、孔版印刷装置１へ電力を供給する電力供給装置１０であって、人力を利用して発電する人力発電装置２００と、人力発電装置２００により発電された電力を孔版印刷装置１へ供給する電力供給制御装置１００とを備える。【選択図】図１
2012086435.tif 000002
【特許請求の範囲】
【請求項１】
印刷装置と接続され、前記印刷装置へ電力を供給する電力供給装置であって、
人力を利用して発電する人力発電手段と、
前記人力発電手段により発電された電力を前記印刷装置へ供給する電力制御手段と、
を備えたことを特徴とする電力供給装置。
【請求項２】
前記人力発電手段により発電された電力に応じた前記印刷装置の印刷速度を決定する印刷速度決定手段と、
前記印刷速度決定手段により決定された印刷速度で印刷させるように、前記印刷速度を前記印刷装置に設定する印刷設定手段と、
を更に備えたことを特徴とする請求項１記載の電力供給装置。
【請求項３】
蓄電する蓄電手段を更に備え、
前記印刷速度決定手段は、
前記人力発電手段により発電された電力及び前記蓄電手段に蓄電された電力のいずれか一方に基づいて、前記印刷装置の印刷速度を決定し、
前記電力制御手段は、
前記印刷速度決定手段により決定された印刷速度に対応する電力を、前記人力発電手段又は前記蓄電手段から前記印刷装置へ供給する
ことを特徴とする請求項２記載の電力供給装置。
【請求項４】
前記人力発電手段により発電された電力と、前記蓄電手段に蓄電された電力と、前記印刷装置の印刷速度とを関連付けて電圧速度情報として記憶する記憶手段と、をさらに備え、
前記印刷速度決定手段は、
前記記憶手段に記憶された電圧速度情報に基づいて、前記人力発電手段により発電された電力及び前記蓄電手段に蓄電された電力それぞれに対応する前記印刷速度のうち速い方を前記印刷装置の印刷速度として決定する
ことを特徴とする請求項３記載の電力供給装置。
【請求項５】
前記電力制御手段は、
前記人力発電手段により発電された電力を前記蓄電手段に蓄電させる
ことを特徴とする請求項３又は４記載の電力供給装置。
【請求項６】
前記印刷設定手段は、
前記人力発電手段により所定トルクより高いトルクを発生する時間内に、前記印刷装置の負荷が大きくなるように、前記負荷を同期させた前記印刷装置の動作スケジュールを設定する
ことを特徴とする請求項２〜５のうちいずれか１項記載の電力供給装置。
【請求項７】
前記印刷設定手段は、
前記印刷装置の負荷が大きくなる時間内に、前記人力発電手段により発生するトルクが最も低い時点が重ならないように、前記負荷を分散させた前記印刷装置の動作スケジュールを設定する
ことを特徴とする請求項２〜５のうちいずれか１項記載の電力供給装置。
【請求項８】
前記印刷設定手段は、
前記印刷速度が速くなるように変更する場合に、前記印刷装置の消費電力の急激な変化を低減するように、前記印刷速度の上昇を緩やかにした前記印刷装置の動作スケジュールを設定する
ことを特徴とする請求項２〜７のうちいずれか１項記載の電力供給装置。
【請求項９】
前記人力発電手段に関する情報を表示手段に表示させる表示制御手段、を、
更に備えたことを特徴とする請求項１〜８のうちいずれか１項記載の電力供給装置。
【発明の詳細な説明】
【技術分野】
【０００１】
本発明は、人力を用いて発電された電力を、印刷装置へ供給する電力供給装置に関する。
【背景技術】
【０００２】
一般的に、製版された孔版原紙をドラムに着版した後、印刷用紙をこのドラムに給紙し、この供給された印刷用紙をプレスローラによりドラムに圧接することにより印刷を行う孔版印刷装置が良く知られている。
【０００３】
この孔版印刷装置は、インクジェット式印刷装置やレーザー式印刷装置等に比較すると、１枚当たりの印刷コストが低いことや、消費電力が小さいこと等の理由から官公庁や学校に導入される場合が多い。
【０００４】
一方、地震等の災害時には学校が避難所として利用されることが多い。そのため、学校が情報発信基地として利用され、例えば、学校に設置された孔版印刷装置により避難情報を印刷して配布するような場合も考えられる。しかしながら、災害により学校等の避難所が停電になった場合、孔版印刷装置を含め全ての印刷装置は使用できなくなる。
【０００５】
そこで、特許文献１には、ソーラーパネルで発電された電力により画像形成動作を実行する画像形成装置が提案されている。
【０００６】
また、特許文献２には、人力で発電する人力発電装置が提案されている。
【先行技術文献】
【特許文献】
【０００７】
【特許文献１】特開平１０−２４０４８１号公報
【特許文献２】特開２００３−９５９６号公報
【発明の概要】
【発明が解決しようとする課題】
【０００８】
しかしながら、特許文献１に記載の画像形成装置では、ソーラーパネルで発電するので、夜間や災害時に天気の悪い日が続いた場合は、画像形成装置を可動させるのに十分な電力を発電することが困難であった。
【０００９】
また、特許文献２に記載の人力発電装置では、人力で発電するのみであるので、印刷装置を稼働させることが困難であった。
【００１０】
本発明は、上記課題に鑑みてなされたものであり、人力を用いて発電された電力により印刷装置に印刷処理を実行させる電力供給装置を提供することを目的とする。
【課題を解決するための手段】
【００１１】
上記目的を達成するため、本発明に係る電力供給装置の第１の特徴は、印刷装置と接続され、前記印刷装置へ電力を供給する電力供給装置であって、人力を利用して発電する人力発電手段と、前記人力発電手段により発電された電力を前記印刷装置へ供給する電力制御手段と、を備えたことにある。
【００１２】
上記目的を達成するため、本発明に係る電力供給装置の第２の特徴は、前記人力発電手段により発電された電力に応じた前記印刷装置の印刷速度を決定する印刷速度決定手段と、前記印刷速度決定手段により決定された印刷速度で印刷させるように、前記印刷速度を前記印刷装置に設定する印刷設定手段と、を更に備えたことにある。
【００１３】
上記目的を達成するため、本発明に係る電力供給装置の第３の特徴は、蓄電する蓄電手段を更に備え、前記印刷速度決定手段は、前記人力発電手段により発電された電力及び前記蓄電手段に蓄電された電力のいずれか一方に基づいて、前記印刷装置の印刷速度を決定し、前記電力制御手段は、前記印刷速度決定手段により決定された印刷速度に対応する電力を、前記人力発電手段又は前記蓄電手段から前記印刷装置へ供給することにある。
【００１４】
上記目的を達成するため、本発明に係る電力供給装置の第４の特徴は、前記人力発電手段により発電された電力と、前記蓄電手段に蓄電された電力と、前記印刷装置の印刷速度とを関連付けて電圧速度情報として記憶する記憶手段と、をさらに備え、前記印刷速度決定手段は、前記記憶手段に記憶された電圧速度情報に基づいて、前記人力発電手段により発電された電力及び前記蓄電手段に蓄電された電力それぞれに対応する前記印刷速度のうち速い方を前記印刷装置の印刷速度として決定することにある。
【００１５】
上記目的を達成するため、本発明に係る電力供給装置の第５の特徴は、前記電力制御手段は、前記人力発電手段により発電された電力を前記蓄電手段に蓄電させることにある。
【００１６】
上記目的を達成するため、本発明に係る電力供給装置の第６の特徴は、前記印刷設定手段は、前記人力発電手段により所定トルクより高いトルクを発生する時間内に、前記印刷装置の負荷が大きくなるように、前記負荷を同期させた前記印刷装置の動作スケジュールを設定することにある。
【００１７】
上記目的を達成するため、本発明に係る電力供給装置の第７の特徴は、前記印刷設定手段は、前記印刷装置の負荷が大きくなる時間内に、前記人力発電手段により発生するトルクが最も低い時点が重ならないように、前記負荷を分散させた前記印刷装置の動作スケジュールを設定することにある。
【００１８】
上記目的を達成するため、本発明に係る電力供給装置の第８の特徴は、前記印刷設定手段は、前記印刷速度が速くなるように変更する場合に、前記印刷装置の消費電力の急激な変化を低減するように、前記印刷速度の上昇を緩やかにした前記印刷装置の動作スケジュールを設定することにある。
【００１９】
上記目的を達成するため、本発明に係る電力供給装置の第９の特徴は、前記人力発電手段に関する情報を表示手段に表示させる表示制御手段、を、更に備えたことにある。
【発明の効果】
【００２０】
本発明に係る電力供給装置の第１の特徴によれば、人力を利用して発電する人力発電手段と、人力発電手段により発電された電力を印刷装置へ供給する電力制御手段と、を備えているので、人力を用いて発電された電力により印刷装置に印刷処理を実行させることができる。
【００２１】
本発明に係る電力供給装置の第２の特徴によれば、人力発電手段により発電された電力に応じた印刷装置の印刷速度を決定するので、人力発電手段により発電された電力に応じて、最適な印刷速度で印刷装置に印刷処理を実行させることができる。
【００２２】
本発明に係る電力供給装置の第３の特徴によれば、蓄電する蓄電手段を更に備え、印刷速度決定手段は、人力発電手段により発電された電力及び蓄電手段に蓄電された電力のいずれか一方に基づいて、印刷装置の印刷速度を決定し、電力制御手段は、印刷速度決定手段により決定された印刷速度に対応する電力を、人力発電手段又は蓄電手段から印刷装置へ供給するので、より最適な印刷速度で印刷装置に印刷処理を実行させることができる。
【００２３】
本発明に係る電力供給装置の第４の特徴によれば、記憶手段に記憶された電圧速度情報に基づいて、人力発電手段により発電された電力及び蓄電手段に蓄電された電力それぞれに対応する印刷速度のうち速い方を印刷装置の印刷速度として決定するので、より最適な印刷速度で印刷装置に印刷処理を実行させることができる。
【００２４】
本発明に係る電力供給装置の第５の特徴によれば、人力発電手段により発電された電力を蓄電手段に蓄電させるので、発電した電力を無駄なく利用することができる。
【００２５】
本発明に係る電力供給装置の第６の特徴によれば、人力発電手段により所定トルクより高いトルクを発生する時間内に、印刷装置の負荷が大きくなるように、負荷を同期させた印刷装置の動作スケジュールを設定するので、利用者は無理なく、人力発電手段に発電させ続けることができ、これにより、印刷装置に安定した電力を供給することができる。
【００２６】
本発明に係る電力供給装置の第７の特徴によれば、印刷装置の負荷が大きくなる時間内に、人力発電手段により発生するトルクが最も低い時点が重ならないように、負荷を分散させた印刷装置の動作スケジュールを設定するので、利用者は無理なく、人力発電手段に発電させ続けることができ、これにより、印刷装置に安定した電力を供給することができる。
【００２７】
本発明に係る電力供給装置の第８の特徴によれば、印刷速度が速くなるように変更する場合に、印刷装置の消費電力の急激な変化を低減するように前記印刷速度の上昇を緩やかにした印刷装置による動作スケジュールを設定するので、利用者は無理なく、人力発電手段に発電させ続けることができ、これにより、印刷装置に安定した電力を供給することができる。
【００２８】
本発明に係る電力供給装置の第９の特徴によれば、人力発電手段に関する情報を表示手段に表示させるので、利用者は、人力発電手段に発電さるペースを上げる必要があるのか、現在のペースを維持すればよいのを認識することができる。
【図面の簡単な説明】
【００２９】
【図１】本発明の実施例１である電力供給装置の全体構成を示す構成図である。
【図２】本発明の実施例１である電力供給装置の構成を示す構成図である。
【図３】本発明の実施例１である電力供給装置が備える記憶部に記憶された電圧速度情報の一例を示した図である。
【図４】本発明の実施例１である電力供給装置における処理手順を示したフローチャートである。
【図５】本発明の実施例１である電力供給装置に接続された孔版印刷装置１における処理手順を示したフローチャートである。
【図６】本発明の実施例２である電力供給装置の全体構成を示す構成図である。
【図７】本発明の実施例２である電力供給制御装置の構成を示す構成図である。
【図８】本発明の実施例２である電力供給装置が備える記憶部に記憶された電圧速度情報の一例を示した図である。
【図９】本発明の実施例２である電力供給装置における処理手順を示したフローチャートである。
【図１０】本発明の実施例２である電力供給装置が備えるコントロールパネル２０３に表示された発電情報の一例を示した図である。
【図１１】本発明の実施例３である電力供給装置の電力供給制御装置が備えるコントロール部の印刷設定部の構成を示した図である。
【図１２】利用者が自転車のペダルの角度を説明した図である。
【図１３】（ａ）は、孔版印刷装置１が製版動作を実行中であるときの動作負荷を示した図であり、（ｂ）は、孔版印刷装置１が印刷動作を実行中であるときの動作負荷を示した図である。
【図１４】（ａ）は、本発明の実施例３である電力供給装置において、通常印刷時における孔版印刷装置１の動作負荷を示した図であり、（ｂ）は、排紙ファン及び分離ファンの駆動状態を示した図であり、（ｃ）は、（ｂ）に従って排紙ファン及び分離ファンの駆動した場合における孔版印刷装置１の動作負荷を示した図である。
【発明を実施するための形態】
【００３０】
以下、本発明の実施の形態を、図面を参照しながら詳細に説明する。
【実施例１】
【００３１】
本発明の実施例１では、孔版印刷装置と接続され、人力発電された電力を孔版印刷装置へ供給する電力供給装置を例に挙げて説明する。
【００３２】
＜電力供給装置の構成＞
図１は、本発明の実施例１である電力供給装置の全体構成を示す構成図である。
【００３３】
図１に示すように、電力供給装置１０は、孔版印刷装置１と接続されており、孔版印刷装置１との間で各種信号を送受信すると共に、孔版印刷装置１へ電力を供給する。
【００３４】
電力供給装置１０は、電力供給制御装置１００と、人力発電装置２００とを備えている。
【００３５】
人力発電装置２００は、自転車２０１と、発電機２０２とを備えている。自転車２０１は、市販の自転車でよく、利用者がこの自転車２０１のペダルを漕ぐ動作をすることにより発電機２０２が発電するようになっている。
【００３６】
孔版印刷装置１は、製版部２と、印刷部３と、給紙部４と、排紙部５と、排版部６と、操作部７と、制御部８とを備えている。
【００３７】
製版部２は、ロールされた長尺状の孔版原紙２１を収容する原紙収容部２２と、この原紙収容部２２の搬送下流に配置されたサーマルヘッド２３と、このサーマルヘッド２３の対向位置に配置されたプラテンロール２４と、このプラテンロール２４及びサーマルヘッド２３の搬送下流に配置された一対の原紙送りロール２５と、プラテンロール２４及び原紙送りロール２５を回転駆動させるライトパルスモータ２６と、一対の原紙送りロール２５の搬送下流に配置された原紙カッタ２７とを有する。
【００３８】
そして、製版部２は、プラテンロール２４と原紙送りロール２５の回転により長尺状の孔版原紙２１を搬送し、図示しない画像読み取り部により読み取られた画像データに基づき、サーマルヘッド２３の各点状発熱体が選択的に発熱動作することにより孔版原紙２１に感熱穿孔して製版し、この製版された孔版原紙２１を原紙カッタ２７で切断して所定長さの孔版原紙２１を作製する。
【００３９】
印刷部３は、メインモータ３１の駆動力によって図１の矢印Ａ方向に回転するドラム３２と、このドラム３２の外周面に設けられ、孔版原紙２１の先端をクランプする原紙クランプ部３３とを備えている。
【００４０】
また、印刷部３は、ドラム３２の外周面に孔版原紙２１が巻き付け装着されているか否かを検出する原紙確認センサ３４と、ドラム３２の基準位置を検出する基準位置検出センサ３５と、メインモータ３１の回転に応じて定周期でパルス信号を出力するロータリエンコーダ３６とを有する。基準位置検出センサ３５の検出出力を基にロータリエンコーダ３６のパルス信号を検出することによってドラム３２の回転位置を検出することができるようになっている。
【００４１】
さらに、印刷部３は、ドラム３２の下方位置に配置されたプレスロール３７を有し、このプレスロール３７はソレノイド部３８の駆動力によってドラム３２の外周面に押圧する押圧位置と、ドラム３２の外周面から離間する待機位置との間で変移可能に構成されている。プレスロール３７は、給紙部４からの給紙動作に同期して待機位置から押圧位置に変移され、印刷用紙４１がドラム３２の下部を通過する際のみ押圧位置に位置され、それ以外の時には待機位置に位置されるようになっている。
【００４２】
そして、製版部２から搬送される孔版原紙２１の先端を原紙クランプ部３３でクランプし、このクランプした状態でドラム３２が回転されて孔版原紙２１がドラム３２の外周面に巻き付け装着される。そして、ドラム３２の回転に同期して給紙部４より給紙される印刷用紙４１をプレスロール３７でドラム３２に巻装された孔版原紙２１に押圧することによって印刷用紙４１に孔版原紙２１の穿孔からインクが転写されて画像が印刷されるようになっている。
【００４３】
給紙部４は、印刷用紙４１が積層される給紙台４２と、この給紙台４２から最上位置の印刷用紙４１のみを搬送させる１次給紙ロール４３，４４と、この１次給紙ロール４３，４４によって搬送された印刷用紙４１をドラム３２の回転に同期してドラム３２とプレスロール３７間に搬送する一対の２次給紙ロール４５と、この一対の２次給紙ロール４５間に印刷用紙４１が搬送されたか否かを検出する給紙センサ４６と、給紙台４２に積層された印刷用紙４１を検出する紙有無センサ４８とを有する。１次給紙ロール４３，４４には給紙クラッチ４７を介してメインモータ３１の回転が選択的に伝達されるように構成されている。
【００４４】
排紙部５は、印刷された印刷用紙４１をドラム３２から分離する用紙分離爪５１と、風力にて印刷用紙４１をドラム３２から分離する分離ファン５６と、この用紙分離爪５１によりドラム３２から離間された印刷用紙４１を搬送する排紙ローラ５２と、この排紙ローラを駆動する排紙モータ５５と、この排紙ローラ５２上を印刷用紙４１が通過するか否かを検出する紙ジャム検出センサ５３と、排紙ローラ５２により排紙される印刷用紙４１が載置される排紙台５４とを有する。
【００４５】
また、排紙ローラ５２には、排紙ファン５２ａが設けられ、印刷用紙４１を排紙ローラ５２で排紙できるように排紙ローラ５２側に吸引する。
【００４６】
紙ジャム検出センサ５３は、印刷部３で印刷された印刷用紙４１が正しく搬送されて来るか否かを検出する。印刷後に所定時間経過しても紙ジャム検出センサ５３が印刷用紙４１の搬送を検出しない場合には、印刷部３内で印刷用紙４１が滞留していると判定される。
【００４７】
排版部６は、ドラム３２の外周面よりクランプ解除された孔版原紙２１の先端を導き、この導いた使用済みの孔版原紙２１をドラム３２より引き剥がしながら搬送する排版搬送手段６１と、この排版搬送手段６１により搬送されて来る孔版原紙２１を収納する排版ボックス６２と、排版搬送手段６１により排版ボックス６２内に搬送されて来た孔版原紙２１を排版ボックス６２の奥に押し込む排版圧縮部材６３とを有する。
【００４８】
操作部７は、表示／入力パネル（図示しない）と、製版や印刷等を開始させるためのスタートキー、製版や印刷等を停止させるためのストップキー、印刷枚数等を入力するためのテンキー（いずれも図示せず）等の各種操作キーとを備え、利用者操作に基づく操作信号を制御部８に供給する。
【００４９】
操作部７の表示／入力パネルは、前面に配置された感圧式あるいは静電式の透明なタッチパネルと、このタッチパネルの裏面に配置され、各種表示画面を表示する液晶表示パネル（いずれも図示せず）とを有している。利用者は、液晶表示パネルの表示画面を見ながら、タッチパネルの表面を指などで直接触れることで、バッテリー優先モード等の各種印刷モードを設定することができる。
【００５０】
制御部８は、孔版印刷装置１の中枢的な制御を行う。具体的には、制御部８は、電力供給装置１０から供給される印刷速度に基づいて、製版部２と、印刷部３と、給紙部４と、排紙部５及び排版部６とを制御することにより印刷処理を実行する。
【００５１】
また、制御部８は、所定の周期で、孔版印刷装置１が印刷状態を示す印刷状態情報を電力供給装置１０へ供給する。
【００５２】
図２は、本発明の実施例１である電力供給装置１０の構成を示す構成図である。
【００５３】
図２に示すように、本発明の実施例１である電力供給装置１０は、ノイズフィルタ１０１と、トランス１０２と、平滑整流部１０５と、ＤＣ／ＤＣコンバータ１０６と、インバータ１０７と、記憶部１０８と、コントロール部１０９とを備えている。
【００５４】
ノイズフィルタ１０１は、ＡＣ電源から供給された交流電力のノイズを除去する。
【００５５】
トランス１０２は、交流電力の電圧を昇圧又は降圧する。また、トランス１０２は、出力電圧を安定させるＡＶＲ(Automatic Voltage Regulator)機能も有している。
【００５６】
平滑整流部１０５は、発電機２０２から供給される電力の交流電圧を直流電圧に変換し、電圧変動を平滑化する。
【００５７】
ＤＣ／ＤＣコンバータ１０６は、平滑整流部１０５により変換された直流電圧を昇圧又は降圧する。
【００５８】
インバータ１０７は、ＤＣ／ＤＣコンバータ１０６から供給される直流電圧を交流電圧に変換する。
【００５９】
記憶部１０８は、例えば、不揮発性半導体で構成され、発電機２０２により発電された起電圧と、孔版印刷装置１の印刷速度、即ち、ドラム３２の回転速度を関連付けて、電圧速度情報として記憶する。
【００６０】
図３は、本発明の実施例１である電力供給装置１０が備える記憶部１０８に記憶された電圧速度情報の一例を示した図である。
【００６１】
図３に示すように、電圧速度情報は、“動作モード”（符号３０１）が“モード１”〜“モード３”毎に、ドラム３２の回転速度である印刷速度（符号３０２）と、孔版印刷装置消費電力（符号３０３）と、孔版印刷装置エコモード時の消費電力（符号３０４）と、起電圧（符号３０５）とが関連付けられて記憶されている。
【００６２】
コントロール部１０９は、電力制御部１０９ａと、印刷速度決定部１０９ｂと、印刷設定部１０９ｃとを備える。
【００６３】
電力制御部１０９ａは、人力発電装置２００により発電された電力を孔版印刷装置１へ供給する。具体的には、電力制御部１０９ａは、人力発電装置２００により発電された電力を、インバータ１０７を制御することにより、トランス１０２を介して、孔版印刷装置１へ電力を供給させる。
【００６４】
印刷速度決定部１０９ｂは、人力発電装置２００により発電された電力に応じた孔版印刷装置１の印刷速度を決定する。
【００６５】
印刷設定部１０９ｃは、印刷速度決定部１０９ｂにより決定された印刷速度で印刷させるように、印刷速度を孔版印刷装置１に設定する。
【００６６】
以上のように、本発明の実施例１である電力供給装置１０によれば、人力を利用して発電する人力発電装置２００を備え、人力発電装置２００により発電された電力を孔版印刷装置１へ供給するので、人力を用いて発電された電力により孔版印刷装置１に印刷処理を実行させることができる。
【００６７】
＜電力供給装置の作用＞
次に、本発明の実施例１である電力供給装置１０の作用について説明する。
【００６８】
図４は、本発明の実施例１である電力供給装置１０における処理手順を示したフローチャートである。
【００６９】
図４に示すように、電力供給装置１０の電源がオンされると（ステップＳ１０１）、電力供給装置１０は、起電圧の測定を開始する（ステップＳ１０５）。具体的には、平滑整流部１０５が、平滑整流した直流電圧を測定し、測定値を起電圧情報としてコントロール部１０９への供給を開始する。
【００７０】
次に、コントロール部１０９の印刷速度決定部１０９ｂは、コントロール部１０９の内部に備えられたタイマーに基づいて、所定時間が経過したか否かを判定する（ステップＳ１０７）。ここで、所定時間とは、人力により発電機２０２で発電された電力は一定していないので、例えば、１（秒）等というようにある時間間隔で平均を算出するために設定される。
【００７１】
ステップＳ１０７において、所定時間が経過したと判定された場合（ＹＥＳの場合）、印刷速度決定部１０９ｂは、孔版印刷装置１に印刷要求があるか否かを判定する（ステップＳ１０９）。具体的には、印刷速度決定部１０９ｂは、孔版印刷装置１から供給された印刷状態情報に基づいて、利用者により孔版印刷装置１の操作部７から印刷を要求する操作がなされ、孔版印刷装置１の印刷処理が完了していないか否かを判定する。
【００７２】
ステップＳ１０９において、孔版印刷装置１に印刷要求がないと判定された場合（ＮＯの場合）、コントロール部１０９の内部に備えられたタイマーの計時をリセットする。
【００７３】
一方、ステップＳ１０９において、孔版印刷装置１に印刷要求があると判定された場合（ＹＥＳの場合）、印刷速度決定部１０９ｂは、起電圧の平均値を算出する（ステップＳ１１３）。具体的には、印刷速度決定部１０９ｂは、所定時間に平滑整流部１０５により検出された起電圧の電圧値を平均する。
【００７４】
そして、印刷速度決定部１０９ｂは、算出された起電圧の平均値が下限電圧を超えているか否かを判定する（ステップＳ１１５）。ここで、下限電圧とは、孔版印刷装置１が印刷処理を実行する上で必要最低限の電圧であり、例えば、３３（Ｖ）と設定されている。
【００７５】
ステップＳ１１５において、起電圧の平均値が下限電圧を超えていると判定された場合（ＹＥＳの場合）、コントロール部１０９の印刷設定部１０９ｃは、孔版印刷装置１へエコモードを通知する（ステップＳ１１７）。ここで、エコモードとは、孔版印刷装置１が消費電力を低減して印刷処理を実行する動作モードであり、例えば、外部とのインタフェース部等の印刷処理を実行する上で動作が必須でない機器、即ちエコモード対象機器以外の機器を停止して、印刷処理を実行するモードである。
【００７６】
次に、印刷速度決定部１０９ｂは、印刷速度を決定する（ステップＳ１１９）。具体的には、印刷速度決定部１０９ｂは、記憶部１０８に記憶された電圧速度情報を読み出し、この読み出した電圧速度情報に基づいて、起電圧の平均値に対応する動作モード３０１及び印刷速度３０２を決定する。図３に示した電圧速度情報を例にとると、例えば、算出された起電圧の平均値が４０（Ｖ）であった場合、印刷速度決定部１０９ｂは、動作モードを“モード２”、印刷速度を“８０”（枚／分）として決定する。
【００７７】
そして、印刷設定部１０９ｃは、決定された印刷速度を孔版印刷装置１へ送信する（ステップＳ１２１）。
【００７８】
次に、コントロール部１０９は、電源がオフされた場合（ＹＥＳの場合）、処理を終了する（ステップＳ１２３）。
【００７９】
以上のように、本発明の実施例１である電力供給装置１０によれば、人力発電装置２００により発電された電力に応じた孔版印刷装置１の印刷速度を決定し、この決定された印刷速度で印刷させるので、人力発電装置２００により発電された電力に応じて、最適な印刷速度で孔版印刷装置１に印刷処理を実行させることができる。
【００８０】
＜孔版印刷装置の作用＞
次に、本発明の実施例１である電力供給装置１０に接続された孔版印刷装置１の作用について説明する。
【００８１】
図５は、本発明の実施例１である電力供給装置１０に接続された孔版印刷装置１における処理手順を示したフローチャートである。
【００８２】
図５に示すように、孔版印刷装置１の電源がオンされると（ステップＳ２０１）、孔版印刷装置１は、各種設定情報を初期化する（ステップＳ２０３）。
【００８３】
そして、孔版印刷装置１の制御部８は、印刷開始が要求されたか否かを判定する（ステップＳ２０５）。具体的には、制御部８は、利用者の操作により操作部７から印刷開始を要求する操作信号が供給されたか否かを判定する。
【００８４】
ステップＳ２０５において、印刷開始が要求されたと判定された場合（ＹＥＳの場合）、制御部８は、電力供給装置１０からエコモードが通知されているか否かを判定する（ステップＳ２０７）。
【００８５】
ステップＳ２０７において、エコモードが通知されていないと判定された場合（ＮＯの場合）、制御部８は、通常の印刷処理を実行する（ステップＳ２０９）。
【００８６】
一方、ステップＳ２０７において、エコモードが通知されていると判定された場合（ＹＥＳの場合）、制御部８は、エコモード対象機器以外を停止する（ステップＳ２１１）。具体的には、外部とのインタフェース部等の印刷処理を実行する上で動作が必須でない機器、即ちエコモード対象機器以外の機器を停止する。
【００８７】
次に、制御部８は、電力供給装置１０から通知された印刷速度を設定する（ステップＳ２１３）。
【００８８】
そして、制御部８は、印刷処理を実行する（ステップＳ２１５）。具体的には、制御部８は、設定された印刷速度でドラム３２を回転させて印刷を行うように、製版部２と、印刷部３と、給紙部４と、排紙部５及び排版部６とを制御することにより、印刷処理を実行する。
【００８９】
そして、制御部８は、電源がオフされた場合（ＹＥＳの場合）、処理を終了する（ステップＳ２１７）。
【００９０】
以上のように、本発明の実施例１である電力供給装置１０に接続された孔版印刷装置１によれば、電力供給装置１０から供給された印刷速度に応じて印刷処理を実行するので、電力供給装置１０から供給される電力に応じた最適の印刷速度で印刷を行うことができる。
【実施例２】
【００９１】
本発明の実施例２では、孔版印刷装置１と接続され、人力発電された電力又は蓄電された電力を切り替えて孔版印刷装置１へ供給する電力供給装置を例に挙げて説明する。
【００９２】
＜電力供給装置の構成＞
図６は、本発明の実施例２である電力供給装置の全体構成を示す構成図である。
【００９３】
図６に示すように、本発明の実施例２である電力供給装置１０Ａは、孔版印刷装置１と接続されており、電力供給制御装置１００Ａと、人力発電装置２００Ａと、バッテリ３００とを備えている。以下の説明の中で、本発明の実施例１である電力供給装置１０又は孔版印刷装置１の構成と同一符号が付された構成については、それぞれ同一であるので、説明を省略する。
【００９４】
バッテリ３００は、電力供給制御装置１００Ａから供給された電力を蓄電したり、蓄電した電力を電力供給制御装置１００Ａへ供給したりする。
【００９５】
人力発電装置２００Ａは、自転車２０１と、発電機２０２と、コントロールパネル２０３と、ペダル位置検出部２０４とを備えている。
【００９６】
コントロールパネル２０３は、電力供給制御装置１００Ａから供給される各種発電に関する情報を表示する。
【００９７】
ペダル位置検出部２０４は、自転車２０１が備えるペダルの位置を検出する。具体的には、ペダル位置検出部２０４は、自転車２０１の車輪の回転に応じて定周期でパルス信号を出力するエンコーダ（図示しない）と、自転車２０１の車輪が１周する毎に基準検出信号を出力する基準位置検出センサ（図示しない）を有する。基準位置検出センサによる基準検出信号を基に、エンコーダのパルス信号を検出することによって自転車２０１の車輪の回転角度、即ちペダルの位置を検出することができるようになっている。
【００９８】
電力供給制御装置１００Ａは、人力発電装置２００Ａにより人力発電された電力、又はバッテリ３００に蓄電された電力を切り替えて孔版印刷装置１へ供給する。
【００９９】
図７は、本発明の実施例２である電力供給制御装置１００Ａの構成を示す構成図である。
【０１００】
図７に示すように、本発明の実施例２である電力供給装置１０Ａの電力供給制御装置１００Ａは、ノイズフィルタ１０１と、トランス１０２と、平滑整流部１０５と、ＤＣ／ＤＣコンバータ１０６と、インバータ１０７と、記憶部１０８Ａと、コントロール部１０９Ａと、充電部１１０とを備えている。これらの構成のうち、ノイズフィルタ１０１と、トランス１０２と、平滑整流部１０５と、ＤＣ／ＤＣコンバータ１０６と、インバータ１０７とについては、それぞれ本発明の実施例１である電力供給装置１０の電力供給制御装置１００が備える構成と同一であるので、説明を省略する。
【０１０１】
記憶部１０８Ａは、例えば、不揮発性半導体で構成され、動作モードと、必要発電量と、必要バッテリ残量とを関連付けて、電圧速度情報として記憶する。
【０１０２】
図８は、本発明の実施例２である電力供給装置１０Ａが備える記憶部１０８Ａに記憶された電圧速度情報の一例を示した図である。
【０１０３】
図８に示すように、電圧速度情報は、各動作モードの必要電力４０１と、発電機２０２の必要発電量４０２と、バッテリ３００の残量４０３とが関連付けられて記憶されている。
【０１０４】
各動作モードの必要電力４０１は、動作モード４０１ａと、孔版印刷装置１の印刷速度４０１ｂと、この動作モードで動作が行われる際に必要な電力４０１ｃとを含み、必要発電量４０２は、発電機２０２により発電する起電圧４０２ａと、発電機２０２の回転数４０２ｂと、自転車２０１のペダルの回転数４０２ｃとを含み、必要バッテリ残量４０３は、バッテリ３００の残量を示す端子電圧４０３ａと、端子電圧（補正１）４０３ｂと、端子電圧（補正２）４０３ｃとを含んでいる。ここで、端子電圧（補正１）４０３ｂと、端子電圧（補正２）４０３ｃとは、端子電圧４０３ａに比較して低い値となっているが、これは、バッテリ３００の残量が少ない（端子電圧が低い）場合にも、電力入力源としてバッテリ３００が選択され易いように設定されているためである。
【０１０５】
図７に戻り、充電部１１０は、トランス１０２から供給された電力、又はＤＣ／ＤＣコンバータ１０６から供給された電力をバッテリ３３０に供給し、充電させる。
【０１０６】
コントロール部１０９Ａは、電力制御部１０９ａと、印刷速度決定部１０９ｂと、印刷設定部１０９ｃとを備える。
【０１０７】
印刷速度決定部１０９ｂは、記憶部１０８Ａに記憶された電圧速度情報に基づいて、人力発電装置２００により発電された電力及びバッテリ３００に蓄電された電力それぞれに対応する印刷速度のうち速い方を孔版印刷装置１の印刷速度として決定する。
【０１０８】
電力制御部１０９ａは、印刷速度決定部１０９ｂにより決定された印刷速度に対応する電力を、人力発電装置２００又はバッテリ３００から孔版印刷装置１へ供給する。具体的には、電力制御部１０９ａは、人力発電装置２００により発電された電力及びバッテリ３００に蓄電された電力のうち、印刷速度決定部１０９ｂにより速い方として決定された印刷速度に対応する電力を、インバータ１０７を制御することにより、トランス１０２を介して、孔版印刷装置１へ電力を供給させる。
【０１０９】
印刷設定部１０９ｃは、印刷速度決定部１０９ｂにより決定された印刷速度で印刷させるように、印刷速度を孔版印刷装置１へ設定する。
【０１１０】
＜電力供給装置の作用＞
次に、本発明の実施例２である電力供給装置１０Ａの作用について説明する。
【０１１１】
図９は、本発明の実施例２である電力供給装置１０Ａにおける処理手順を示したフローチャートである。なお、図９に示したフローチャートの各処理のうち、図４に示した本発明の実施例１である電力供給装置１０における処理手順を示したフローチャートと同一のステップ番号を付したものは同一処理を実行するので、説明を省略する。
【０１１２】
ステップＳ１１３において、印刷速度決定部１０９ｂは、起電圧の平均値を算出すると、次に、ＤＣ／ＤＣコンバータ１０６がバッテリ３００の端子電圧を測定し、測定した端子電圧を端子電圧情報としてコントロール部１０９に供給する（ステップＳ３１５）。具体的には、ＤＣ／ＤＣコンバータ１０６は、バッテリ３００のプラス極側の端子と、マイナス極側の端子との端子間の電圧を、端子電圧として測定する。
【０１１３】
次に、印刷速度決定部１０９ｂは、測定された端子電圧が下限電圧を超えているか否かを判定する（ステップＳ３１７）。
【０１１４】
ステップＳ３１７において、端子電圧が下限電圧以下であると判定された場合（ＮＯの場合）、印刷速度決定部１０９ｂは、測定された起電圧の平均値が下限電圧を超えているか否かを判定する（ステップＳ３３７）。
【０１１５】
ステップＳ３３７において、起電圧の平均値が下限電圧以下であると判定された場合（ＮＯの場合）、印刷設定部１０９ｃは、孔版印刷装置１の電源をオフにする（ステップＳ３３９）。
【０１１６】
一方、ステップＳ３１７において、端子電圧が下限電圧を超えていると判定された場合（ＹＥＳの場合）、印刷速度決定部１０９ｂは、バッテリ優先モードが選択されているか否かを判定する（ステップＳ３１９）。バッテリ優先モードは、利用者により操作部７が操作されることにより設定される。ここでは、バッテリ優先モード１とバッテリ優先モード２とが選択可能であるとする。
【０１１７】
ステップＳ３１９において、バッテリ優先モードが選択されていないと判定された場合（ＮＯの場合）、印刷速度決定部１０９ｂは、記憶部１０８Ａに記憶された速度設定情報に基づいて、端子電圧に対応する動作モードを抽出する（ステップＳ３２１）。
【０１１８】
図８に示した速度設定情報では、ステップＳ３１５において測定された端子電圧が、“１０．９”（Ｖ）であるとすると、印刷速度決定部１０９ｂは、端子電圧４０３ａが“１０．９”（Ｖ）に対応する動作モード４０１ａとして、“モード３”と、対応する印刷速度４０１ｂとして、“１１０”（枚／分）とを抽出する。
【０１１９】
一方、ステップＳ３１９において、バッテリ優先モードが選択されていると判定された場合（ＹＥＳの場合）、印刷速度決定部１０９ｂは、記憶部１０８Ａに記憶された速度設定情報に基づいて、補正された端子電圧に対応する動作モードを抽出する（ステップＳ３２３）。
【０１２０】
例えば、バッテリ優先モード１が選択されている場合において、ステップＳ３１５において測定された端子電圧が、“１０．９”（Ｖ）であるとすると、印刷速度決定部１０９ｂは、補正された端子電圧（補正１）１０３ｂが“１０．９”（Ｖ）に対応する動作モード４０１ａとして、“モード４”と、対応する印刷速度４０１ｂとして、“１３０”（枚／分）とを抽出する。
【０１２１】
次に、印刷速度決定部１０９ｂは、記憶部１０８Ａに記憶された速度設定情報に基づいて、起電圧に対応する動作モードを抽出する（ステップＳ３２５）。
【０１２２】
例えば、ステップＳ１１３において算出された起電圧の平均値が、“４０”（Ｖ）であるとすると、印刷速度決定部１０９ｂは、起電圧４０２ａが“４０”（Ｖ）に対応する動作モード４０１ａとして、“印刷速度２”を抽出する。
【０１２３】
そして、印刷速度決定部１０９ｂは、印刷速度がより早い方の動作モードを選択する（ステップＳ３２７）。例えば、ステップＳ３２１において、端子電圧に対応する動作モード４０１ａとして“モード３”が抽出され、ステップＳ３２５において、起電圧に対応する動作モード４０１ａとして“モード２”が抽出された場合、“モード３”の方が“モード２”より印刷速度は速いので、印刷速度決定部１０９ｂは、“モード３”を選択する。
【０１２４】
次に、表示制御部１０９ｄは、人力発電装置２００Ａの発電情報をコントロールパネル２０３に表示させる（ステップＳ３２９）。
【０１２５】
図１０（ａ）（ｂ）は、コントロールパネル２０３に表示された発電情報の一例を示した図である。
【０１２６】
図１０（ａ）に示すように、コントロールパネル２０３には、動作モードとして、“モード３”（符号２０５）が表示され、この動作モードで印刷処理を継続するために必要な必要電力として“１６０Ｗ” （符号２０６）と表示している。そして、現在の人力発電装置２００Ａによる発電量として、“１７０Ｗ”（符号２０７）が表示されている。
【０１２７】
図１０（ａ）の場合、発電量が必要電力以上であるので、メッセージとして、“そのペースを持続してください”（符号２０８）と表示している。
【０１２８】
また、図１０（ｂ）に示す例では、コントロールパネル２０３に、動作モードとして、“モード１”（符号２０５）が表示され、この動作モードで印刷処理を継続するために必要な必要電力として“１２０Ｗ” （符号２０６）と表示している。そして、現在の人力発電装置２００Ａによる発電量として、“１００Ｗ”（符号２０７）が表示されている。
【０１２９】
図１０（ｂ）の場合、発電量が必要電力未満であるので、メッセージとして、“ペースを上げてください”（符号２０８）と表示している。
【０１３０】
なお、コントロールパネル２０３上には、その他にも、印刷済み枚数や、消費カロリー０や、印刷終了までの残り時間等を表示することもできる。
【０１３１】
図９に戻り、コントロール部１０９の印刷設定部１０９ｃは、孔版印刷装置１へエコモードを通知する（ステップＳ３３１）。
【０１３２】
次に、印刷設定部１０９ｃは、選択された動作モードに対応する印刷速度を孔版印刷装置１へ送信する（ステップＳ３３３）。
【０１３３】
次に、コントロール部１０９は、電源がオフされた場合（ＹＥＳの場合）、処理を終了する（ステップＳ３３５）。
【０１３４】
以上のように、本発明の実施例２である電力供給装置１０Ａによれば、人力発電装置２００により発電された電力、及びバッテリ３００に蓄電された電力のいずれか一方に基づいて、孔版印刷装置１の印刷速度を決定し、この決定された印刷速度で印刷させるので、より最適な印刷速度で孔版印刷装置１に印刷処理を実行させることができる。
【０１３５】
また、本発明の実施例２である電力供給装置１０Ａによれば、人力発電装置２００Ａの発電情報をコントロールパネル２０３に表示させるので、自転車２０１を漕いでいる利用者は、今後漕ぐペースを上げる必要があるのか、現在のペースを維持すればよいのを認識することができる。
【実施例３】
【０１３６】
本発明の実施例３では、孔版印刷装置１と接続され、人力発電装置２００が備える自転車２０１のペダルの角度に応じて孔版印刷装置１による動作スケジュールを設定する電力供給装置を例に挙げて説明する。
【０１３７】
本発明の実施例３である電力供給装置１０Ｂは、図６、図７に示した本発明の実施例２である電力供給装置１０Ａの構成と同一であるので、説明を省略する。
【０１３８】
図１１は、本発明の実施例３である電力供給装置１０Ｂの電力供給制御装置１００Ｂが備えるコントロール部１０９の印刷設定部１０９ｃの構成を示した図である。
【０１３９】
図１１に示すように、記憶部１０８Ｂには、利用者が自転車２０１のペダルを漕いだときに、所定トルクより高いトルクを発生するペダルの角度を示しているペダル踏み込み角度設定値と、ペダルが最も高い位置にある上死点の角度であるペダル上死点検出角度値とを記憶している。
【０１４０】
図１２は、利用者が自転車２０１のペダルの角度を説明した図である。
【０１４１】
図１２に示すように、通常、ペダル上死点検出角度値は、ペダルが最も高い位置にある上死点５０１の角度（通常は０°）として記憶されている。
【０１４２】
また、ペダル踏み込み角度設定値５０２は、利用者が自転車２０１のペダルを漕いだときに、所定トルクより高いトルクを発生するペダルの角度を示しており、例えば、２４０（°）〜３００（°）として設定される。
【０１４３】
図１１に戻り、印刷設定部１０９ｃは、パルスカウンタ１０９１と、比較部１０９３と、回転数管理部１０９３と、動作制御部１０９４とを備える。
【０１４４】
パルスカウンタ１０９１は、ペダル位置検出部２０４のロータリエンコーダにより検出されたパルス信号をカウントし、ペダル位置検出部２０４の基準位置検出センサにより検出された基準検出信号が供給されるとカウントをリセットする。即ち、パルスカウンタ１０９１は、ペダル位置検出部２０４の基準位置検出センサにより検出された基準検出信号が供給されてから、次に基準検出信号が供給されるまでのパルス信号を計数し、この計数した計数値を比較部１０９２へ供給する。
【０１４５】
比較部１０９２は、パルスカウンタ１０９１から供給された計数値に基づいて現在のペダルの角度を算出し、記憶部１０８Ｂに記憶されたペダル踏み込み角度設定値に基づいて、この算出された角度がペダル踏み込み角度の範囲に入っているか否かを判定する。そして、この算出された角度がペダル踏み込み角度の範囲に入っていると判定した場合、比較部１０９３は、ペダルの角度がペダル踏み込み角度の範囲に入っていることを示す信号を回転数管理部１０９３へ供給する。
【０１４６】
回転数管理部１０９３は、比較部１０９２から供給された信号と、後述する動作制御部１０９４から供給される印刷状態情報に含まれるドラム３２の角度情報とに基づいて、動作スケジュールを設定する。具体的には、回転数管理部１０９３は、人力発電装置２００により所定トルクより高いトルクを発生する時間内、即ち比較部１０９２から信号が供給されている間に、孔版印刷装置１の動作負荷がピークなるように、動作負荷を同期させた動作スケジュールを設定する。
【０１４７】
図１３（ａ）は、孔版印刷装置１が製版動作を実行中であるときの動作負荷を示した図であり、図１３（ｂ）は、孔版印刷装置１が印刷動作を実行中であるときの動作負荷を示した図である。
【０１４８】
図１３（ａ）に示すように、ドラム３２が回転を開始するｔ１時点、排版部６による孔版原紙の排版動作を開始するｔ２時点、ドラム３２への着版動作を開始するｔ３時点、１枚目の印刷（ファーストプリント）が実行されるｔ４時点において、動作負荷がピークとなる。そこで、回転数管理部１０９３は、孔版印刷装置１の動作負荷のピークであるｔ１、ｔ２、ｔ３、ｔ４時点が、人力発電装置２００により所定トルクより高いトルクを発生する時間内に、即ち、自転車２０１のペダルの角度がペダル踏み込み角度の範囲内に入るように、動作スケジュールを設定する。
【０１４９】
また、図１３（ｂ）に示すように、印刷処理の実行中、動作モードが変更される度に、印刷速度が変化するので、その度に動作負荷が大きくなりピークとなる。具体的には、ｔ１１、ｔ１２、ｔ１３、ｔ１４、・・・の時点において、動作モードが変更されており、動作負荷がピークとなっている。また、プレスロール３７によるドラム３２の押圧が解除されたｔ１６時点においても同様に、動作負荷がピークとなっている。
【０１５０】
そこで、回転数管理部１０９３は、孔版印刷装置１の動作負荷のピークであるｔ１１、ｔ１２、ｔ１３、ｔ１４、・・・ｔ１６時点が、人力発電装置２００により所定トルクより高いトルクを発生する時間内に、即ち、自転車２０１のペダルの角度がペダル踏み込み角度の範囲内に入るように、動作スケジュールを設定する。
【０１５１】
図１１に戻り、動作制御部１０９４は、孔版印刷装置１から供給された印刷状態情報に含まれるドラム３２の角度情報を回転数管理部１０９３へ供給する。また、動作制御部１０９４は、回転数管理部１０９３により設定された動作スケジュールに基づいて、孔版印刷装置１を制御するための制御信号を孔版印刷装置１へ供給する。そして、孔版印刷装置１は、供給された制御信号に含まれる動作スケジュールに基づいて、印刷処理を実行する。
【０１５２】
以上のように、本発明の実施例３である電力供給装置１０Ｂによれば、人力発電装置２００により所定トルクより高いトルクを発生する時間内に、孔版印刷装置１の負荷が大きくなるように、孔版印刷装置１による動作スケジュールを設定するので、利用者は無理なく、自転車２０１を漕ぎ続けることができ、これにより、孔版印刷装置１に安定した電力を供給することができる。
【０１５３】
なお、本発明の実施例３では、人力発電装置２００により所定トルクより高いトルクを発生する時間内に、孔版印刷装置１の負荷が大きくなるように、孔版印刷装置１による動作スケジュールを設定する電力供給装置１０Ｂを例に挙げて説明したが、これに限らない。
【０１５４】
例えば、孔版印刷装置１の負荷が大きくなる時間内に、人力発電装置２００により最も低いトルクを発生する時点が重ならないように、孔版印刷装置１の動作スケジュールを設定するようにしてもよい。
【０１５５】
具体的には、比較部１０９２が、算出された現在のペダルの角度が、記憶部１０８Ｂに記憶されたペダル上死点検出角度値に一致するか否かを判定し、算出された現在のペダルの角度がペダル上死点検出角度値に一致すると判定された場合、ペダルの角度がペダル上死点検出角度に一致していることを示す信号を回転数管理部１０９３へ供給する。
【０１５６】
そして、回転数管理部１０９３は、ペダルの角度がペダル上死点検出角度になっときに、孔版印刷装置１の動作負荷がピークとならないように、動作負荷を分散させた孔版印刷装置１の動作スケジュールを設定するようにしてもよい。
【０１５７】
また、本発明の実施例３では、孔版印刷装置１の負荷が大きくなる時間内に、人力発電装置２００により最も低いトルクを発生する時点が重ならないように、孔版印刷装置１による動作スケジュールを設定する電力供給装置１０Ｂを例に挙げて説明したが、これに限らず、孔版印刷装置１の動作負荷のピークを低下させるようにしてもよい。
【０１５８】
図１４（ａ）は、本発明の実施例３である電力供給装置１０Ｂにおいて、通常印刷時における孔版印刷装置１の動作負荷を示した図であり、図１４（ｂ）は、排紙ファン２５ａ及び分離ファンの駆動状態を示した図であり、図１４（ｃ）は、図１４（ｂ）に従って排紙ファン２５ａ及び分離ファンの駆動した場合における孔版印刷装置１の動作負荷を示した図である。
【０１５９】
図１４（ａ）に示すように、孔版印刷装置１は通常印刷時、印刷の１サイクル毎に動作負荷にピークが発生する（ｔ２１時点、ｔ２２時点）。
【０１６０】
そこで、本発明の実施例３である電力供給装置１０Ｂでは、図１４（ｂ）に示すように、動作負荷にピークが発生するｔ２１時点及びｔ２２時点において、例えば、排紙ファン２５ａ及び分離ファン等の印刷処理を実行する上で動作が必須でない機器を停止して印刷処理を実行する。
【０１６１】
これにより、図１４（ｃ）に示すように、ｔ２１時点及びｔ２２時点における動作負荷のピークが小さくなる。
【０１６２】
このように、本発明の実施例３である電力供給装置１０Ｂによれば、動作負荷にピークが発生する時点において、印刷処理を実行する上で必要最小限の機器を動作させて、即ち、印刷処理を実行する上で動作が必須でない機器を停止して印刷処理を実行させるので、消費電力を低減することができる。
【０１６３】
また、本発明の実施例３である電力供給装置１０Ｂでは、印刷処理の実行中、動作モードが変更される度に、印刷速度が変化するので、その度に動作負荷が大きくなりピークとなる。そこで、印刷速度が速くなるように変更する場合に、孔版印刷装置１の消費電力の急激な変化を低減するように、印刷速度の上昇を緩やかにした（印刷の加速度を低くした）孔版印刷装置１の動作スケジュールを設定するようにしてもよい。
【０１６４】
例えば、ドラム３２の回転数を８０（ｒｐｍ）から１２０（ｒｐｍ）へ上昇させる場合、通常の印刷では、約６０（秒）で上昇させていたところを、約２００（秒）で上昇させる。
【０１６５】
これにより、印刷速度を変化する際においても、動作負荷のピークを比較的小さくすることができる。
【０１６６】
また、本発明の実施例１〜３では、孔版印刷装置１と接続され、孔版印刷装置１へ電力を供給する電力供給装置１０，１０Ａ，１０Ｂを例に挙げて説明したが、接続される印刷装置は、孔版印刷方式に限らず、インクジェット方式、レーザ方式等他の方式のものであってもよい。ただし、電力供給装置１０，１０Ａ，１０Ｂにより供給される電力により稼働できることが条件となるので、比較的消費電力が小さい孔版印刷装置が好適である。
【符号の説明】
【０１６７】
１…孔版印刷装置
２…製版部
３…印刷部
４…給紙部
５…排紙部
６…排版部
７…操作部
８…制御部
１０，１０Ａ，１０Ｂ…電力供給装置
１００，１００Ａ，１００Ｂ…電力供給制御装置
１０１…ノイズフィルタ
１０２…トランス
１０５…平滑整流部
１０６…ＤＣ／ＤＣコンバータ
１０７…インバータ
１０８，１０８Ａ，１０８Ｂ…記憶部
１０９，１０９Ａ…コントロール部
１０９ａ…電力制御部
１０９ｂ…印刷速度決定部
１０９ｃ…印刷設定部
１０９ｄ…表示制御部
１１０…充電部
２００，２００Ａ…人力発電装置
２０１…自転車
２０２…発電機
２０３…コントロールパネル
２０４…ペダル位置検出部
３００…バッテリ
【図１】
2012086435.tif 000003
【図２】
2012086435.tif 000004
【図３】
2012086435.tif 000005
【図４】
2012086435.tif 000006
【図５】
2012086435.tif 000007
【図６】
2012086435.tif 000008
【図７】
2012086435.tif 000009
【図８】
2012086435.tif 000010
【図９】
2012086435.tif 000011
【図１０】
2012086435.tif 000012
【図１１】
2012086435.tif 000013
【図１２】
2012086435.tif 000014
【図１３】
2012086435.tif 000015
【図１４】
2012086435.tif 000016